(57)【要約】【課題】文字放送番組をＤＶＤに記録するにあたり、配信される情報を余すところなくＤＶＤに記録する。【解決手段】テレビジョン放送波から抽出される文字情報の内容をＤＶＤビデオフォーマットで規定されるサブピクチャデータに変換する。そして、サブピクチャデータを、映像や音声のデータとあわせてＤＶＤに記録する。【選択図】        図１
2004289381.tif 000002
【特許請求の範囲】
【請求項１】
テレビジョン放送波から、映像情報、音声情報および当該音声情報を文字化した文字情報を抽出する抽出手段と、
前記抽出手段により抽出される文字情報を、ディスプレイ表示するための画像データに変換する画像データ変換手段と、
前記画像データ変換手段により変換される画像データを、ＤＶＤビデオフォーマットで規定されるサブピクチャデータに変換するサブピクチャデータ変換手段と、
前記サブピクチャデータ変換手段により変換されるサブピクチャデータをＤＶＤビデオフォーマットで規定される字幕トラックに記録するための記録データであって、
前記抽出手段により抽出される映像情報および音声情報をＤＶＤに記録するための記録データに変換する記録データ変換手段と
を有することを特徴とするビデオエンコーダ。
【請求項２】
請求項１に記載のビデオエンコーダにおいて、
前記画像データ変換手段により変換される画像データを当該画像データの内容を印字するための印字データに変換する印字データ変換手段と
を有することを特徴とするビデオエンコーダ。
【請求項３】
請求項１または請求項２に記載のビデオエンコーダと、
前記データ変換手段により変換される記録データをＤＶＤに記録する記録手段と
を有することを特徴とするＤＶＤ記録装置。
【請求項４】
コンピュータを、
テレビジョン放送波から、映像情報、音声情報および当該音声情報を文字化した文字情報を抽出する抽出手段と、
前記抽出手段により抽出される文字情報を、ディスプレイ表示するための画像データに変換する画像データ変換手段と、
前記画像データ変換手段により変換される画像データを、ＤＶＤビデオフォーマットで規定されるサブピクチャデータに変換するサブピクチャデータ変換手段と、
前記サブピクチャデータ変換手段により変換されるサブピクチャデータをＤＶＤビデオフォーマットで規定される字幕トラックに記録するための記録データであって、
前記抽出手段により抽出される映像情報および音声情報をＤＶＤに記録するための記録データに変換する記録データ変換手段と
して機能させることを特徴とするプログラム。
【発明の詳細な説明】
【０００１】
【発明の属する技術分野】
この発明は、文字放送される番組をＤＶＤ（Ｄｉｇｉｔａｌ  Ｖｅｒｓａｔｉｌｅ  Ｄｉｓｋ）に記録する技術に係る。
【０００２】
【従来の技術】
文字放送は、映像情報や音声情報とともに、当該音声情報を文字化した情報に対応する文字情報を放送する放送形態として知られている（たとえば非特許文献１参照）。この文字情報をデコード処理すれば、音声の内容をテレビジョン画面に表示させることができるから、音声を出力することなくテレビジョン番組を楽しむことができる。これにより、難聴者であってもテレビジョン番組を楽しむことができる。
【０００３】
【非特許文献１】
原田著、”ＴＶのすべて”、改訂版、（株）電波新聞社、１９９６年６月、ｐ．１７５−１８７
【０００４】
【発明が解決しようとする課題】
一方、テレビジョン番組をＤＶＤに記録して楽しみたい要望があるが、従来のＤＶＤ記録装置では、映像情報と音声情報しか記録することを想定していなかった。このため、ＤＶＤの再生時において、音声を出力しないとテレビジョン番組の内容を楽しむことができなかった。
本発明は、上記の点を考慮して行われたものであり、文字放送番組について、放送される情報を余すところなくＤＶＤに記録することができるビデオエンコーダ、ＤＶＤ記録装置およびプログラムを提供することを目的とする。
【０００５】
【課題を解決するための手段】
上記課題を解決するため、本発明に係るビデオエンコーダの構成は、テレビジョン放送波から、映像情報、音声情報および当該音声情報を文字化した文字情報を抽出する抽出手段と、前記抽出手段により抽出される文字情報を、ディスプレイ表示するための画像データに変換する画像データ変換手段と、前記画像データ変換手段により変換される画像データを、ＤＶＤビデオフォーマットで規定されるサブピクチャデータに変換するサブピクチャデータ変換手段と、前記サブピクチャデータ変換手段により変換されるサブピクチャデータをＤＶＤビデオフォーマットで規定される字幕トラックに記録するための記録データであって、前記抽出手段により抽出される映像情報および音声情報をＤＶＤに記録するための記録データに変換する記録データ変換手段とを有することを特徴とする。
かかる構成をとるビデオエンコーダによれば、テレビジョン放送波から抽出される文字情報がＤＶＤビデオフォーマットで規定されるサブピクチャデータに変換される。そして、サブピクチャデータをＤＶＤビデオフォーマットで規定される字幕トラックに記録するための記録データおよび映像情報および音声情報をＤＶＤに記録するための記録データが生成される。これにより、生成される記録データをＤＶＤに記録すれば、文字放送番組について、放送される情報を余すところなくＤＶＤに記録できる。ＤＶＤ再生時には、映像に重ねて文字情報の内容を字幕としてディスプレイ表示させることができる。
【０００６】
【発明の実施の形態】
図１は、本発明の一実施形態に係るＤＶＤ記録装置１００の構成図である。このように、ＤＶＤ記録装置１００は、入力部１０、抽出回路１１、文字デコーダ１２、画像データ変換部１３、サブピクチャデータ変換部１４、圧縮部２０、記録データ変換部２１、記録部２２を備えている。さらに、これらの各部を統括する制御部３０と、各種プログラムがインストールされるハードディスク（ＨＤ）３２とを備えている。
【０００７】
入力部１０には、アンテナ９により受信されるテレビジョン放送波が入力される。ここで、テレビジョン放送波には、映像に係る情報（映像情報）と音声に係る情報（音声情報）が含まれている。文字放送番組に係るテレビジョン放送波には、音声情報を文字化した情報である文字情報がさらに含まれる。
抽出回路１１は、入力部１０に供給されるテレビジョン放送波から、映像情報、音声情報および文字情報を抽出する。そして、抽出した３つの情報のうち、映像情報と音声信号を圧縮部２０に出力する一方、文字情報を文字デコーダ１２に出力する。
ここで抽出回路１１の抽出手法は任意である。たとえば、アナログテレビ放送の場合であれば、１つの画面に対応する映像や音声の情報を配信するタイミングが予め決められており、当該タイミングの合間（垂直帰線期間：ＶＢＩ）を利用して、文字情報が配信されている。このため、抽出回路１１は、予め決められるタイミングでフィルタリングして、各種情報を抽出することができる。
【０００８】
圧縮部２０は、抽出回路１１から映像や音声の情報が供給されると、供給される各種情報について圧縮処理を行う。そして、映像情報を圧縮した映像圧縮データ、音声情報を圧縮した音声圧縮データをそれぞれ記録データ変換部２１に出力する。
ここで、圧縮処理の形式はＤＶＤの記録フォーマットで規格される形式であれば任意のものを用いることができる。たとえば映像情報についてはＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）の形式で圧縮することができ、音声情報についてはＭＰＥＧ−Ａｕｄｉｏの形式で圧縮することができる。
【０００９】
以下、文字情報に係るデータ変換処理を行う、文字デコーダ１２、画像データ変換部１３、サブピクチャデータ変換部１４の説明をする。
まず、文字デコーダ１２は、抽出回路１１から文字情報として供給されるデータＳ１についてデコード処理する。デコード処理により、文字情報に係るデータＳ１を文字データＳ２に変換する。そして、変換した文字データＳ２を画像データ変換部１３に出力する。文字データＳ２は、音声情報の内容を字幕として表示する内容を示すデータである。なお、文字デコーダ１２が、デコード処理をするためのデコードプログラムは予めＨＤ３２に格納されている。
【００１０】
画像データ変換部１３は、文字デコーダ１２から供給される文字データＳ２を画像データＳ３に変換する。そして、画像データＳ３をサブピクチャデータ変換部１４に出力する。画像データＳ３は、字幕をディスプレイ表示するためのビットマップデータに相当する。この画像データＳ３について表示処理を行えば、ディスプレイに字幕を表示させることができる。
【００１１】
サブピクチャデータ変換部１４は、画像データ変換部１３から供給される画像データＳ３をサブピクチャデータＳ４に変換する。そして、サブピクチャデータＳ４を、記録データ変換部２１に出力する。サブピクチャデータとは、ＤＶＤビデオフォーマットにおいて規定されるデータであり、字幕を表示するために記録するデータとして規定されている。
より具体的にいうと、ＤＶＤビデオフォーマットでは、映像と音声を記録するためのトラックがそれぞれ用意されているが、それに加え、映像に重ねて表示する字幕の情報を記録するためのトラック（字幕トラック）が用意されている。そして、字幕トラックに記録するためのデータとして、サブピクチャデータが規定されている。
【００１２】
記録データ変換部２１は、圧縮部２０から供給される映像圧縮データおよび音声圧縮データを、ＤＶＤビデオフォーマットで規定される各トラックに記録するための記録データに変換する。また、サブピクチャデータ変換部１４から供給されるサブピクチャデータをＤＶＤビデオフォーマットで規定される字幕トラックに記録するための記録データに変換する。その後、変換した記録データを記録部２２に出力する。
記録部２２は、記録データ変換部２１から供給される記録データについて、ＤＶＤに記録を行い、これにより、映像情報、音声情報とあわせて文字情報に係る各データの記録が行われる。
【００１３】
次にＤＶＤ記録装置１００を用いて、文字放送番組を記録する際の具体的な動作を説明する。
はじめに制御部３０は、アンテナ９から入力部１０に供給されるテレビジョン放送波を抽出回路１１に供給させる。
その後、制御部３０は抽出回路１１を制御して、テレビジョン放送波から映像情報や音声情報および文字情報を抽出させる。そして、映像情報や音声情報は圧縮部２０に供給する一方、文字情報については文字デコーダ１２に供給する。
【００１４】
映像情報や音声情報は、圧縮部２０において、圧縮処理され、映像圧縮データおよび音声圧縮データとして記録データ変換部２１に供給される。
一方、文字情報に係るデータＳ１は、文字デコーダ１２でデコード処理されて文字データＳ２に変換される。その後、画像データ変換部１３において画像データＳ３に変換され、さらにサブピクチャデータ変換部１４においてサブピクチャデータＳ４に変換される。
【００１５】
このように、文字情報に係るデータＳ１は、文字デコーダ１２、画像データ変換部１３、サブピクチャデータ変換部１４における処理が行われ、最終的にサブピクチャデータＳ４に変換される。
図２は、文字デコーダ１２に供給された文字情報に係るデータＳ１が、その後、どのようにしてデータ変換されるかを概念的に示した図である。図２では、文字情報のデータＳ１として、アルファベットの「Ａ」と「Ｐ」を示すデータＳ１が、文字デコーダ１２に供給された場合を想定した。まず、このデータＳ１は、文字デコーダ１２において、アルファベット「Ａ」と「Ｐ」を示す文字データＳ２に変換される（図２（ｂ））。そのあと、画像データ変換部１３において、アルファベット「Ａ」と「Ｐ」を表示するための画像データ（ビットマップデータ）Ｓ３に変換される（図２（ｃ））。そして最終的に、サブピクチャデータ変換部１４において、アルファベット「Ａ」と「Ｐ」を字幕として表示するためのサブピクチャデータＳ４に変換される（図２（ｄ））。
【００１６】
記録データ変換部２１は、圧縮部２０から供給される映像圧縮データと音声圧縮データ、および、サブピクチャデータ変換部１４から供給されるサブピクチャデータ（Ｓ４）、の各データについてＤＶＤに記録するための記録データに変換する。サブピクチャデータについてはＤＶＤビデオフォーマットで規定される字幕トラックに記録するための記録データに変換される。そして、記録データ変換部２１は、変換した記録データを記録部２２に出力する。記録部２２では、この記録データをＤＶＤに記録し、これによりテレビジョン番組の記録が完了する。
【００１７】
このように本実施形態に係るＤＶＤ記録装置１００によれば、テレビジョン番組における映像情報や音声情報とともに、文字情報についてもＤＶＤに記録することができ、放送される情報を余すところなくＤＶＤに記録することができる。また、文字情報はサブピクチャデータに変換された上で、ＤＶＤビデオフォーマットで規定される字幕トラックに記録される。これにより、ＤＶＤ再生時においては、映像に重ねて文字放送の内容を表示（字幕表示）させることができる。これにより、音声を出力することなくテレビジョン番組を楽しむことができ、難聴者であってもテレビジョン番組を楽しめる、といった効果を奏する。
【００１８】
（他の実施形態−１）
上述実施形態では、テレビジョン放送がされると直ちにＤＶＤに記録、すなわちリアルタイムにＤＶＤに記録する処理を想定していたが、放送番組のデータを一旦ＨＤ３２に格納しておき、その後にＤＶＤに記録する形態をとってもよい。
【００１９】
このように非リアルタイムに記録処理を行う場合は、圧縮部２０で圧縮処理した映像や音声のエンコードデータをＨＤ３２に一時的に格納しておく。一方、文字情報についても、映像や音声のタイミングに対応させて格納しておく。たとえば、映像とあわせて文字（字幕）を表示するタイミングを表す情報（ファイル論理位置情報）をあわせてＨＤ３２に格納しておけばよい。
その後、ＨＤ３２に格納した各種のデータについて、ＤＶＤに記録するためのオーサリング処理を行い、ＤＶＤビデオフォーマットに沿った記録データを生成することになる。この場合、オーサリング処理のためのプログラムは予めＨＤ３２に格納しておくのが好ましい。
【００２０】
（他の実施形態−２）
文字情報の内容を印字するためのデータ（印字データ）に変換する処理ができるようにしてもよい。
図３は、この本実施形態におけるシステム図を示したものである。上述した実施形態と同じ構成要素には同じ符号を付している。ＤＶＤ記録装置１００´は、上述実施形態に係るＤＶＤ記録装置１００の構成に加えて、印字データ変換部１５と出力部１６を構成したものとなっている。
印字データ変換部１５は、画像データＳ３について、画像内容（字幕内容）印刷するための印字データＳ５に変換する。印字データＳ５は、たとえばテキストデータである。この印字データＳ５を、出力部１６を介して印刷装置２００に出力すれば、画像内容、すなわち文字放送された内容を印刷することができるようになっている。
本実施形態に係るＤＶＤ記録装置１００´を用いれば、文字（字幕）の内容を予め紙に印刷しておき、印刷された紙を見ながらテレビジョン番組を視聴するといった、新たな楽しみ方を提供することができる。また、映画やドラマ放送番組を記録する際に、映画やドラマの台本も製作することができる、といった副次的な効果も奏する。
【００２１】
なお、上述した各実施形態に係るＤＶＤ記録装置１００，１００´の構成各部（図１参照）は、専用ＩＣなどを用いてハードウェアで実現してもよく、その一部あるいは全部をソフトウェアプログラムにより実現してもよい。ＤＶＤ記録機能を内蔵したコンピュータ（パソコン）であれば、必要なプログラムをインストールしておけば、本実施形態に係るＤＶＤ記録装置１００，１００´として実現可能である。
【００２２】
【発明の効果】
以上説明したように、本発明によれば、文字放送番組をＤＶＤに記録するにあたり、放送される情報を余すところなくＤＶＤに記録することができる。
【図面の簡単な説明】
【図１】本発明の一実施形態に係るＤＶＤ記録装置１００の構成図である。
【図２】同ＤＶＤ記録装置１００の文字情報に係るデータの処理内容を示す概念図である。
【図３】本発明の他の実施形態に係るＤＶＤ記録装置１００´の構成図である。
【符号の説明】
９……アンテナ、１０……入力部、１１……抽出回路、
１２……文字デコーダ、１３……画像データ変換部、
１４……サブピクチャデータ変換部、
１５……印字データ変換部、
２０……圧縮部、２１……記録データ変換部、
２２……記録部、３０……制御部、３２……記録部、
１００，１００´……ＤＶＤ記録装置、
２００……印刷装置。
【図１】
2004289381.tif 000003
【図２】
2004289381.tif 000004
【図３】
2004289381.tif 000005